(57)【要約】【課題】  ロール紙繰り出し切断容器の軽量化と繰り出しの円滑化とを促進すると共に、ロール紙切断後の摘み代を可及的に長く残存させること。【解決手段】  上部開放の容器１の後部に枢支した上蓋３の前辺３Ｂの左右に対向突設した下向きの突片５の一つまたは二つの各突片５に閉蓋ロック部６Ａを形成し、この閉蓋ロック部６Ａを容器１の内面に形成した閉蓋ロック部６Ｂに前記突片５または容器１の撓み弾力に抗し係合させて閉蓋することで、閉じた上蓋３の無用な浮上を阻止する一方、上蓋３の前記各突片５間に斜め下向き弾撥可能に枢支した紙圧板７の下辺７Ｃでロール紙２の繰り出し部２Ａを繰り出せる程度に弾圧制動することで、繰り出し毎に小径となる容器内ロール紙２の転動後退に伴うロール紙摘み代２Ｂの容器内引き込みを阻止し、ロール紙切断後に前記紙圧板７の高さ分の摘み代２Ｂを容器外に残存可能となした。【選択図】  図１
2005185430.tif 000002
【特許請求の範囲】
【請求項１】
上部開放の容器内に収納したロール紙の繰り出し部を容器前辺から容器外部に引出した後、容器側辺の後部に枢支した上蓋を容器開口縁に被せ、ロール紙繰り出し部を上蓋前辺刃先で切断可能となしたロール紙繰り出し切断容器において、前記上蓋の前辺左右に対向突設した下向きの突片の一つまたは二つの各突片に閉蓋ロック部を形成し、この閉蓋ロック部を容器の内面に形成した閉蓋ロック部に前記突片または容器の撓み弾力に抗し係合させて閉蓋することで、閉じた上蓋の無用な浮上を阻止する一方、上蓋の前記各突片間に斜め下向き弾撥可能に枢支した紙圧板の下辺で前記ロール紙繰り出し部を繰り出せる程度に弾圧制動することで、繰り出し毎に小径となる容器内ロール紙の転動後退に伴うロール紙摘み代の容器内引き込みを阻止し、ロール紙切断後に前記紙圧板の高さ分の摘み代を容器外に残存可能となしたロール紙繰り出し切断容器。
【請求項２】
前記可撓弾片の下向き弾撥力を前記ロール紙繰り出し部の斜め引上げ力で紙圧板が上向き回動する程度に設定し、ロール紙繰り出し時に紙圧板による前記ロール紙弾圧制動を解除することで、薄手一枚のロール紙やミシン目状切断線付のロール紙でも、その繰り出し部を千切らずに繰り出し可能にしてなる請求項１に記載のロール紙繰り出し切断容器。
【請求項３】
前記上蓋前辺左右の各突片間に紙圧板を枢支するに当たり、前記紙圧板と上蓋前辺との間に可撓弾片をその撓み弾力に抗し介在定位することで、紙圧板を各突片間に斜め下向き弾撥可能に枢支した請求項１または請求項２に記載のロール紙繰り出し切断容器。
【請求項４】
前記上蓋前辺左右の各突片間に紙圧板を枢支するに当たり、前記紙圧板と上蓋前辺との枢支部につる巻きばねをその弾力に抗して介在することで、紙圧板を各突片間に斜め下向き弾撥可能に枢支した請求項１または請求項２に記載のロール紙繰り出し切断容器。
【請求項５】
前記紙圧板の下辺を満遍なく丸味付けした請求項１から請求項４までのいずれか一つの請求項に記載のロール紙繰り出し切断容器。
【請求項６】
前記容器前辺上部を満遍なく丸味付けした請求項１から請求項５までのいずれか一つの請求項に記載のロール紙繰り出し切断容器。
【請求項７】
前記上蓋の開蓋状態を保持するための開蓋保持部を前記容器と上蓋との各対向部分に具備してなる請求項１から請求項６までの請求項に記載のロール紙繰り出し切断容器。
【発明の詳細な説明】
【技術分野】
【０００１】
この発明は、ロール紙またはロール巻きシートやフィルムなどを繰り出して切断できる投げ込み収納式ロール紙繰り出し切断容器の軽量化と繰り出しの円滑化とを促進すると共に、ロール紙切断後の摘み代を長く残存させ得たロール紙繰り出し切断容器に関する。
【背景技術】
【０００２】
従来の投げ込み収納式のロール紙繰り出し切断容器としては、下記の特許文献１や非特許文献１に記載のものなどが周知である。
これらの各従来の技術は、いずれも、後面を壁面などに定着設置して使用する上部開放の投げ込み収納式の容器内にロール紙を投げ込んで収納した後、そのロール紙繰り出し部を容器前辺から手前に繰り出し定位するとともに、前記容器の後部で枢支した上蓋をその自重または、錘付き上蓋の重力で容器開口縁に被せ、この上蓋下部と容器前辺とでロール紙繰り出し部を挟み付けて制動し、容器内ロール紙の転動後退に伴うロール紙摘み代の容器内引き込みを阻止するとともに、このロール紙繰り出し部を容器または、上蓋の前辺に横設した刃先でカットできるとしたロール紙繰り出し切断容器である。
【特許文献１】特開平８−１９６４６７号公報
【非特許文献１】実開平５−８２３９３号公報
【発明の開示】
【発明が解決しようとする課題】
【０００３】
これら各従来例を初めとして従来の投げ込み収納式のロール紙繰り出し切断容器の多くは、一般に前記容器の後部で枢支した上蓋をその自重、または錘の重力で容器の開口縁に被せて前記のように上蓋下部と容器前辺とでロール紙繰り出し部を挟み付けて制動し、容器内ロール紙の転動後退に伴うロール紙摘み代の容器内引き込みを阻止するとともに、ロール紙切断時に閉蓋状態にある上蓋を妄りに動かなくするものだから、上蓋自体や上記錘をそれぞれ重くする必要があり、ロール紙繰り出し切断容器全体としてもかなりの重量物となるため、その製造・運搬・保管・販売・購入・使用のすべての面で扱い辛く不便で面倒であり、価格的にも不利であるという本質的かつ、大きな問題点が有るし、繰り出し部に切断刄が接近しているので、ロール紙の繰り出し切断後の摘み代が短くなってしまい、ロール紙の次回繰り出し使用に当たり、摘み代が摘み辛く誠に不便であるという本質的な問題点が有る。
【０００４】
他の従来例として、下記の非特許文献２に記載のもののように、ロール紙繰り出し部をカットする容器前辺の反対側の後部外方に上蓋を大きく回動させて開蓋する卓上タイプのロール紙繰り出し切断容器も有るが、この従来例は容器後面をトイレ壁面などに定着設置しようとすると上蓋が開かなくなるので、容器後面を壁面に定着して使用するには、この従来例公報第５図とその説明のように、容器上蓋を容器本体から分離できる着脱式の被せ蓋とする必要があり、この被せ蓋は分離紛失し易いし、その保管や取り扱いも面倒で厄介であるだけでなく、上蓋を重くしないと繰り出し時にその擦過摩擦で上蓋が跳ね上がったり、折角の繰り出し撮み代が容器内に引き込まれるため、この従来例でも前記各従来例と同様にロール紙繰り出し切断容器全体としてかなりの重量物となり、その製造・運搬・保管・販売・購入・使用のすべての面で扱い辛く不便で面倒であるという本質的かつ、大きな問題点が有るし、この従来例公報第２図におけるロール紙切断後の摘み代は、上向き可動刄板の下向き復帰により、刄板の下側に潜り込んでしまい易く、ロール紙の次回繰り出し使用に当たり、摘み代が摘み辛く誠に不便であるという本質的な問題点が有る。
【非特許文献２】実開昭６１−１０９３９０号公報
【０００５】
この発明は、上記従来例における問題点を解決するために、ロール紙または、これに近似したロール巻きシートやフィルムなどを投げ込み収納できるロール紙繰り出し切断容器の軽量化と繰り出しの円滑化とを促進すると共に、ロール紙切断後の摘み代を次回使用のため可及的に長く残存させることを目的とする。
【課題を解決するための手段】
【０００６】
上記した本発明の目的は、上部開放の容器内に収納したロール紙の繰り出し部を容器前辺から容器外部に引出した後、容器側辺の後部に枢支した上蓋を容器開口縁に被せ、ロール紙繰り出し部を上蓋前辺刃先で切断可能となしたロール紙繰り出し切断容器を構成するに当たり、前記上蓋の前辺に対向突設した下向きの突片の一つまたは二つの各突片に閉蓋ロック部を形成し、この閉蓋ロック部を容器の内面に形成した閉蓋ロック部に前記突片または容器の撓み弾力に抗し係合させて閉蓋することで、閉じた上蓋の無用な浮上を阻止する一方、上蓋の前記各突片間に斜め下向き弾撥可能に枢支した紙圧板の下辺で前記ロール紙繰り出し部を繰り出せる程度に弾圧制動することで、繰り出し毎に小径となる容器内ロール紙の転動後退に伴うロール紙摘み代の容器内引き込みを阻止し、ロール紙切断後に前記紙圧板の高さ分の摘み代を容器外に残存可能となしたことで達成できた。
【発明の効果】
【０００７】
本発明は、以上のような手段を採用したので、以下に記載の効果を奏する。
本発明における請求項１の発明によれば、上蓋前辺左右に対向突設した下向きの突片の一つまたは二つの各突片に閉蓋ロック部を形成し、この閉蓋ロック部を容器の内面に形成した閉蓋ロック部に前記突片または容器の撓み弾力に抗し係合させて閉蓋することで、上蓋前辺刃先に加わる上向きのロール紙切断力による閉じた上蓋の無用な浮上を阻止できるから、軽い上蓋を用いても、この上蓋を浮上させずにロール紙を無造作に片手で繰り出し切断できるという効果のほかに、紙圧板の下辺で前記ロール紙繰り出し部を円滑に繰り出せる程度に弾圧制動できるので、繰り出し毎に小径となる容器内ロール紙の転動後退に伴うロール紙摘み代の容器内引き込みを阻止でき、ロール紙切断後に前記紙圧板の高さに応じた長寸の摘み代を容器外に残存確保できるという優れた効果が有る。
【０００８】
したがって、本発明では、前記各従来例における重い上蓋や錘付きの上蓋が不要となり、本発明によるロール紙繰り出し切断容器は、その製造・管理・運搬・販売・購入・使用のすべての面で前記各従来例よりも格段に優れ、価格的にも有利になったという優れた効果も有るし、また本発明では、ロール紙切断後に紙圧板の高さに応じたかなり長い摘み代を容器外に残存確保できるので、ロール紙の次回繰り出し使用に当たり、その摘み代を常に摘み出し易い状態に維持できるし、容器内にはロール紙の収納や繰り出しを邪魔するものが皆無であり、容器内外がスッキリした感じのスマートで使い勝手のよいロール紙繰り出し切断容器を安価に多量製造できたという多くの優れた効果も有る。
【０００９】
本発明における請求項２の発明によれば、上記諸効果に加え、前記可撓弾片の下向き弾撥力を前記ロール紙繰り出し部の前方斜め引き上げ力で紙圧板が上向き回動する程度に設定し、ロール紙繰り出し時に紙圧板による前記ロール紙弾圧制動を解除することで、薄手一枚のロール紙やミシン目状切断線付きのロール紙でも、その繰り出し途中部分を千切らずに繰り出せるという効果を付加できたし、また本発明における請求項３および請求項４の各発明によれば、前記上蓋前辺左右の各突片間に紙圧板を枢支するに当たり、前記紙圧板と上蓋前辺との間に可撓弾片をその撓み弾力に抗し弯曲させた状態で介在定位したり、紙圧板と上蓋前辺との枢支部につる巻きばねをその弾力に抗しすぼめた状態で介在することで、紙圧板を各突片に斜め下向き弾撥可能に枢支でき、繰り出し毎に小径となる容器内ロール紙の転動後退に伴うロール紙摘み代の容器内引き込みを長期に亘り、より一層安定に阻止できるという効果を付加できた。
【００１０】
本発明における請求項５・請求項６の各発明によれば、前記上蓋の前辺下面に突設した下向きの紙圧板の下辺や前記容器前辺上面を満遍なく丸み付けしたので、ロール紙の弾圧挟支部分が滑らかで無用な引っ掛かり部分がなくなり、薄手一枚のロール紙でも容器前辺に対してロール紙を繰り出せる程度に弾圧して制動でき、容器内ロール紙の転動後退に伴うロール紙摘み代の容器内引き込みを阻止できたという効果を付加でき、また本発明における請求項７の発明のように、前記上蓋の開蓋状態を保持するための開蓋保持部を前記容器および上蓋の各対向部分に具備したことで、開蓋状態にある上蓋は妄りに倒れず、ロール紙交換をより一層安全かつ、容易に実行できるという効果を付加できた。
【発明を実施するための最良の形態】
【００１１】
本発明を実施するための最良の形態例について図面を参照して説明する。
この発明の基本的な実施形態の一例としては、図１・図２のようにトイレの壁面などに定着設置して使用する金属やプラスチックなどで側面ほぼ円形に作った上半分開放の容器１内にロール紙２を図１のように投げ込み式に収納し、そのロール紙繰り出し部２Ａを容器前辺１Ａから外部に引出し、その上から容器開口縁１Ｂに金属やプラスチックなどで側面ほぼ弧形に作った上蓋３をその後部両側における枢支部３Ａを支点として上記図１のように被せ、ロール紙繰り出し部２Ａを上蓋前辺３Ｂに平行取着した刃先４で同図１のように切断可能となしたロール紙繰り出し切断容器を構成する。
【００１２】
次いで本発明では、前記上蓋３の前辺３Ｂにおける左右両側に図３のように一体的に対向突設した下向き突片５の一つまたは二つの各突片５に閉蓋ロック部６Ａ（突起や凹所とか孔）を形成し、この閉蓋ロック部６Ａを容器１の内面に形成した閉蓋ロック部６Ｂ（突起や凹所とか孔）に前記突片５または容器１の撓み弾力に抗し係合させて図１のように閉蓋することで、閉じた上蓋３の無用な浮上を阻止できるようにする一方、図３のような紙圧板７の左右取着溝７Ａに可撓プラスチック製可撓弾片８の前端を係入し、各可撓弾片８の後部を可撓弾力に抗して手前に撓ませ弯曲しつつ上蓋３の内面に当接させた状態で、紙圧板７をその左右の枢支突起７Ｂにより、上記各突片５の枢支孔５Ａに図１・図２のように斜め下向き弾撥可能に枢支すると共に、この紙圧板７の後縁を図４のように上蓋内面に弾接させることで、紙圧板７の斜め下向き回動量を上記図４のように制限できる。
ただし、前記各図示例では、閉蓋ロック部６Ａ・６Ｂを上下斜面付きの突起で形成し、これら突起同士を前記突片５または容器１の撓み弾力に抗し図１のように上下斜面を経てすれ違い係合させることで、閉じた上蓋３の無用な浮上を阻止し、かつ、この閉蓋ロック状態にある上記各突起を手指などで上下斜面を経てすれ違い解除する例を示してある。
【００１３】
したがって、前記閉蓋状態では、容器１の丸み付けした前辺１Ａの上面に対して前記ロール紙繰り出し部２Ａを紙圧板７の丸み付け下辺７Ｃで図１のように上記可撓弾片８の弾力により弾圧して挟み付けているから、前記ロール紙繰り出し部２Ａを繰り出せる程度に弾圧制動することができ、ロール紙２の繰り出し毎に小径となる容器内ロール紙２の転動後退に伴うロール紙摘み代２Ｂの容器内引き込みを阻止できると共に、ロール紙切断後に前記紙圧板７の高さ分のかなり長い摘み代２Ｂを容器外に常に残存確保できる図１・図２のような本発明によるロール紙繰り出し切断容器を構成できた。
【００１４】
ただし、各閉蓋ロック部６Ａ・６Ｂ同士の弾接係合ポイントは、使用ロール紙２の紙質や厚みの多様性を考慮して、前記弾圧閉蓋状態にある上蓋３がその自重に抗して上向きに約１〜２ｍｍ程度持ち上がるように若干のアロワンスを持たせて各閉蓋ロック部６Ａ・６Ｂ（図示例では突起）の形成箇所を位置決めするのが望ましい。
また、上記各閉蓋ロック部６Ａ・６Ｂ同士の係合強度は、二枚合わせや厚手のロール紙２を上蓋前辺刃先４で切断する時のように、閉蓋状態にある上蓋３にやや強い上向きのロール紙切断力が加わっても、上蓋３が図１のように妄りに浮上させず、かつ閉じた上蓋３を所望時に手指などで開蓋できる程度の強度に設定する。
さらに、前記可撓弾片８による紙圧板７の下向き弾撥力は、薄手一枚のロール紙やミシン目状切断線付きのロール紙の繰り出し部２Ａを千切らずに斜め下方に繰り出せる程度とするか、前記ロール紙繰り出し部２Ａを前方斜めに引き上げた時、紙圧板７を僅かに上向き回動させて前記ロール紙弾圧制動力を解除し、薄手一枚のロール紙やミシン目状切断線付きのロール紙でも、その繰り出し部２Ａを千切らずに繰り出せる程度で、しかも繰り出し毎に小径となる容器内ロール紙２の転動後退に伴うロール紙摘み代２Ｂの容器内引き込みを阻止できるロール紙弾圧制動状態が得られる程度に設定する。
【００１５】
本発明の全体的な構成は以上のようなもので、以下本発明におけるロール紙繰り出し切断容器の実際的な使用動作例について説明する。
先ず、図２・図４のような開蓋状態にある容器１内にロール紙２を図１のように収納し、その繰り出し部２Ａを上記図１における鎖線のように繰り出し定位した後、前記枢支部３Ａで枢支した開蓋状態にある上蓋３を下向きに閉じ、上蓋３の前部側辺に突設した突片５のうちの一つまたは二つの突片５の閉蓋ロック部６Ａとこれに対向する容器１の閉蓋ロック部６Ｂとをそれぞれ手指などの外力により、前記突片５や容器１の撓み弾力に抗し図５の矢示方向に向かう順序で係合させ、上蓋３を閉じ終えることで、図１のようなロール紙繰り出し部２Ａの弾圧閉蓋状態を維持でき、可撓弾片８の弾力により紙圧板７の丸み付け下辺７Ｃで容器前辺１Ａの丸み付け上面に対して上記繰り出し部２Ａを図１のように弾力的に挟み付けることができるから、前記ロール紙繰り出し部を千切らずに繰り出せる程度に弾圧制動することができ、繰り出し毎に小径となる容器内ロール紙２の転動後退に伴うロール紙摘み代２Ｂの容器内引き込みを阻止できると共に、ロール紙切断後に前記紙圧板７の高さ分のかなり長い摘み代２Ｂを容器外に残存した使用待機状態となっている。
【００１６】
次いで、上記図１のような容器外のロール紙摘み代２Ｂを手指などで上向きに繰り出し始めると、紙圧板７は、その枢支突起７Ｂを支点とし前記可撓弾片８の弾力に抗して図６のように僅かに持ち上がり、ロール紙の挟み付け弾圧制動力を解除しつつ、薄手一枚のロール紙やミシン目状切断線付きのロール紙でも、その繰り出し部２Ａを紙圧板７の下辺７Ｃを経て円滑に滑らせ繰り出すことができ、繰り出し部２Ａを上蓋前辺刃先４で同図６のように切断して使用できるが、この切断操作終了直後には、紙圧板７がその枢支突起７Ｂを支点として前記可撓弾片８の弾力で素早く下向きに回動復帰してロール紙繰り出し部２Ａの前記弾圧制動状態に復帰し、繰り出し毎に小径となる容器内ロール紙２の転動後退に伴うロール紙摘み代２Ｂの容器内引き込みを即座に阻止できると共に、上記ロール紙切断時に上蓋３に上向きのロール紙切断力が加わっても、前記各閉蓋ロック部６Ａ・６Ｂ同士の弾接係合摩擦により、上蓋３を手指などで押さえずに、その前辺刃先４でロール紙繰り出し部２Ａを片手で無造作に切断して使用でき、この切断後には、図１のように紙圧板６の高さ分の摘み代２Ｂを前辺刃先４の下部付近に前記のように残存確保できる。
【００１７】
なお、前記ロール紙の挟み付け弾圧制動力を保持したまま、ロール紙摘み代２Ｂを下向きに繰り出し可能にするには、可撓弾片８の弾撥力を前記のように薄手一枚のロール紙やミシン目状切断線付きのロール紙でも、その繰り出し部を繰り出せる程度に設定することで、紙圧板７による前記ロール紙の挟み付け弾圧制動力を保持したまま、薄手一枚のロール紙やミシン目状切断線付きのロール紙でも、千切らず下向きに繰り出し使用できる。
その後、容器１内のロール紙２を使い終えた時は、閉蓋状態にある上蓋３を前記各閉蓋ロック部６Ａ・６Ｂの係合弾力に抗し、手指などで前記図５における矢示と反対方向の順序を経て開け始め、図４のようにほぼ直立に開蓋して容器１内の空の芯管２Ｃを取り出した後、空の容器内に新しいロール紙２を投げ込み収納することで、その繰り出し部２Ａを前記のように容器前辺から繰り出した後、容器開口縁１Ｂに上蓋３を前記図１のように被せることで、上記新しいロール紙２を前記と同様に使用できる。
【実施例】
【００１８】
本発明における可撓弾片８をゼンマイ鋼などの強弾性片で作り、これを上蓋３の内面にねじ止めとかインサート成形などで突設してもよく、また、上記弾片８を例えばプラスチック製の上蓋３の成形時に一体的に成形したり、可撓弾片８を強弾性プラスチック材により上蓋の成形時に同一金型内で所謂二色一体成形して突設してもよい。
さらに、前記上蓋前辺左右の各突片５間に紙圧板７を枢支するに当たり、紙圧板７の枢支突起７Ｂに周知のつる巻きばねをその弾力に抗しすぼめた状態で介在することで、紙圧板７を上蓋３左右の下向き突片５に斜め下向き弾撥可能に枢支してもよい。
【００１９】
なお、前述した図４のような開蓋状態にある上蓋３が妄りに倒れないようにするには、上蓋３の開蓋状態を保持するための開蓋保持部を前記容器１および上蓋３の各対向部分に突片や雌雄係合部などの周知の開蓋保持部を具備したり、開蓋維持弾片を容器後面板に前向きに突設し、開蓋上蓋の後縁を弾力的に支持すればよい。
また、前記容器１と上蓋３との側面形状をそれぞれほぼ円形およびほぼ弧形とすることで、より一層小型軽量かつ、スマートなロール紙繰り出し切断容器となるし、さらに上蓋前辺刃先４として、ポリエステル・エラストマなどの柔軟で表面摩擦が大きい可撓弾性プラスチックで櫛歯状に射出成形した柔軟な刃先板を取着して用いてもよい。
【産業上の利用可能性】
【００２０】
本発明によるロール紙繰り出し切断容器は、ロール巻きシートやロール巻きフィルムを投げ込み収納するタイプのロール巻物繰り出し切断容器としても当然に利用できる。
【図面の簡単な説明】
【００２１】
【図１】本発明容器の閉蓋使用状態の一例を示す縦断側面図
【図２】本発明容器の開蓋状態の一例を示す斜視図
【図３】図２に示すものの要部分解斜視図
【図４】図２に示すものの縦断側面図
【図５】本発明における閉蓋ロック部の要部拡大断面図
【図６】図１に示すものと状態を異にした縦断側面図
【符号の説明】
【００２２】
１…ロール紙収納容器  １Ａ…容器前辺  １Ｂ…容器開口縁
２…ロール紙  ２Ａ…ロール紙繰り出し部  ２Ｂ…ロール紙摘み代
３…上蓋  ３Ａ…上蓋後部の枢支部  ３Ｂ…上蓋前辺  
４…上蓋の前辺刃先
５…下向き突片  ５Ａ…突片の枢支孔
６Ａ・６Ｂ…閉蓋ロック部
７…紙圧板  ７Ａ…弾片取着溝  ７Ｂ…枢支突起  ７Ｃ…紙圧板下辺
８…可撓弾片
【図１】
2005185430.tif 000003
【図２】
2005185430.tif 000004
【図３】
2005185430.tif 000005
【図４】
2005185430.tif 000006
【図５】
2005185430.tif 000007
【図６】
2005185430.tif 000008